(57)【要約】【課題】塩素、硫黄などの腐食性物質を含む砒素含有化学兵器の加熱無害化処理にかかるエネルギー消費量の低減と処理時間の短縮とを図ることができる遺棄化学兵器の加熱無害化処理方法および装置を提供する。【解決手段】供給側に腐食性物質除去チャンバー３２を、排出側に砒素除去チャンバー３４を形成すると共に、それらチャンバー３２、３４間を中間エアロックチャンバー３３で連結して処理炉３を形成し、砒素含有化学兵器２を、腐食性物質除去チャンバー３２から砒素除去チャンバー３４に順次移送しつつ、腐食性物質除去チャンバー３２では、腐食性物質が除去されるように、砒素含有化学兵器２を加熱し、かつ砒素除去チャンバー３４では、砒素含有化学兵器に残留する砒素が除去されるように、砒素含有化学兵器２を加熱し、かつ上記中間エアロックチャンバー３３では、砒素含有化学兵器２を導入し、その後、導入時に内部に流入した腐食性ガスをエアパージするものである。【選択図】図１
2007215554.tif 000002
【特許請求の範囲】
【請求項１】
塩素、硫黄などの腐食性物質を含む砒素含有化学兵器を処理炉に順次供給して、加熱無害化処理する遺棄化学兵器の加熱無害化処理方法において、
供給側に上記処理炉を構成する金属材料が腐食性ガス雰囲気下であっても腐食に耐え得る温度域で運転される腐食性物質除去チャンバーを、排出側に砒素除去に必要な高温度で運転される砒素除去チャンバーを形成すると共に、それらチャンバー間を中間エアロックチャンバーで連結して上記処理炉を形成し、
上記砒素含有化学兵器を、上記腐食性物質除去チャンバーから上記砒素除去チャンバーに順次移送しつつ、
上記腐食性物質除去チャンバーでは、上記腐食性物質が除去されるように、上記砒素含有化学兵器を所定温度で加熱し、
かつ上記砒素除去チャンバーでは、上記腐食性物質が除去された砒素含有化学兵器に残留する砒素が除去されるように、上記砒素含有化学兵器を上記所定温度以上の処理温度で加熱し、
かつ上記中間エアロックチャンバーでは、上記砒素除去チャンバー側を遮断すると共に上記腐食性物質除去チャンバーから上記砒素含有化学兵器を導入し、その後、導入時に内部に流入した腐食性ガスをエアパージすることを特徴とする遺棄化学兵器の加熱無害化処理方法。
【請求項２】
上記腐食性物質除去チャンバー内に、上記砒素含有化学兵器の移送経路に沿って、供給側から排出側に至るにつれ温度が高くなるように、複数の温度ゾーンが設定される請求項１記載の遺棄化学兵器の加熱無害化処理方法。
【請求項３】
上記腐食性物質除去チャンバー内の複数の温度ゾーンは、導入された上記砒素含有化学兵器を予熱する予熱ゾーンと、その予熱ゾーンを通過した砒素含有化学兵器を加熱して上記腐食性物質を除去する蒸発・燃焼ゾーンと、その蒸発・燃焼ゾーンよりも高温に設定され、上記蒸発・燃焼ゾーン通過後の砒素含有化学兵器から腐食性物質の残留分を除去する燃焼完結ゾーンとからなる請求項２記載の遺棄化学兵器の加熱無害化処理方法。
【請求項４】
上記中間エアロックチャンバーは、上記腐食性物質除去チャンバーおよび上記砒素除去チャンバーよりも陽圧に設定される請求項１から３いずれかに記載の遺棄化学兵器の加熱無害化処理方法。
【請求項５】
塩素、硫黄などの腐食性物質を含む砒素含有化学兵器を処理炉に順次供給して、加熱無害化処理する遺棄化学兵器の加熱無害化処理装置において、
上記処理炉を、供給側に配置され上記処理炉を構成する金属材料が腐食性ガス雰囲気下であっても腐食に耐え得る温度域で運転される腐食性物質除去チャンバーと、排出側に配置され砒素除去に必要な高温度で運転される砒素除去チャンバーと、それらチャンバー間を連結する中間エアロックチャンバーとで構成し、
その処理炉に、上記砒素含有化学兵器を上記腐食性物質除去チャンバーから上記砒素除去チャンバーに順次移送する移送手段を設け、
上記腐食性物質除去チャンバーに、上記砒素含有化学兵器を所定温度で加熱して上記腐食性物質を除去するための腐食性物質除去加熱手段を設け、
上記砒素除去チャンバーに、上記腐食性物質が除去された砒素含有化学兵器を上記所定温度以上の処理温度で加熱して、上記砒素含有化学兵器に残留する砒素を除去するための砒素除去加熱手段を設け、
上記中間エアロックチャンバーに、上記腐食性物質除去チャンバーとの間を遮断するための開閉自在な供給側ゲートと、上記砒素除去チャンバーとの間を遮断するための開閉自在な排出側ゲートと、内部をエアパージするためのエアパージ手段とを設けたことを特徴とする遺棄化学兵器の加熱無害化処理装置。
【請求項６】
上記砒素除去加熱手段は、上記砒素含有化学兵器を加熱するための電気抵抗ヒータを有する請求項５記載の遺棄化学兵器の加熱無害化処理装置。
【発明の詳細な説明】
【技術分野】
【０００１】
本発明は、塩素、硫黄などの腐食性物質を含む砒素含有化学兵器を、処理炉に順次供給して加熱無害化処理する遺棄化学兵器の加熱無害化処理方法および装置に関するものである。
【背景技術】
【０００２】
従来、塩素、硫黄などの腐食性物質を含む砒素含有化学兵器を加熱無害化処理する加熱無害化処理装置として、特許文献１で提案されている処理装置や、図７に示すような処理装置などが知られている。
【０００３】
図７の処理装置９１により加熱無害化処理を行う場合、まず、砒素含有化学兵器（砒素含有化学剤、汚染金属類（例えば、砲弾など））９０を台車９２に載せて蒸発炉９３に送り、その蒸発炉９３でバーナ加熱により一次処理（蒸発処理）する。この一次処理では、砒素含有化学剤の急激な蒸発・燃焼を防止するため、蒸発炉９３内の処理温度を３００℃に設定して行う。
【０００４】
次に、その一次処理後の砒素含有化学兵器９０を、他の台車９４に載せかえてバーンアウト（加熱処理）炉９５に送り、そのバーンアウト炉９５でバーナ加熱により二次処理（燃焼処理）する。この二次処理では、金属類などに付着した砒素化合物等の残留有害物質を環境基準値以下にするため、バーンアウト炉９５内の処理温度を１０００℃に設定して行う。
【０００５】
以上の処理により、砲弾などの金属類から砒素含有化学剤が除去される。他方、除去された砒素含有化学剤は、排ガスとなり、蒸発炉９３およびバーンアウト炉９５から二次燃焼炉９６に送られ、その二次燃焼炉９６でバーナ加熱により最終処理される。この最終処理は、排ガス中に残存する砒素含有化学剤及びその分解生成物を完全に酸化させるため、炉内の処理温度を１２００℃に設定して行う。
【０００６】
この図７の処理装置９１では、蒸発炉９３およびバーンアウト炉９５で比較的大量の砒素含有化学兵器を一度にまとめてバッチ処理することで、効率の向上を図っている。
【０００７】
【特許文献１】特開２００３−３１０７９２号公報
【発明の開示】
【発明が解決しようとする課題】
【０００８】
しかしながら、上述した処理装置９１には、以下（１）、（２）のような問題があった。
【０００９】
（１）加熱無害化処理にかかる時間が長い。
【００１０】
バッチ処理であるため、砒素含有化学兵器９０の搬入・搬出ごとに、蒸発炉９３およびバーンアウト炉９５を昇温・降温させる時間が必要となってしまう。また、一度に大量の砒素含有化学剤を蒸発炉９３内に供給するので、この大量の砒素含有化学剤が急激に蒸発・燃焼して、過剰な熱負荷による炉９３の損傷や有害物質の多量な発生を引き起こす不安定な運転とならないように、加熱温度を３００℃程度にして緩慢に砒素含有化学剤を蒸発・燃焼させる必要がある。このため、供給された砒素含有化学剤の蒸発・燃焼が終了するまで長時間（１２時間程度）かかってしまう。
【００１１】
（２）プロセス全体のエネルギー消費量が多い。
【００１２】
上述したように、炉９３、９５の昇温と降温を繰り返すので、炉９３、９５の耐火材の蓄熱損失が生じてしまう。また、砒素含有化学剤の急激な蒸発・燃焼を防ぐために、加熱時間を長くしているので、単位処理量に対するエネルギー消費量が多くなってしまう。
【００１３】
そこで、本発明の目的は、上記課題を解決し、腐食性物質を含む砒素含有化学兵器を加熱無害化処理するのに費やされるエネルギー消費量の低減と処理時間の短縮とを図ることができる遺棄化学兵器の加熱無害化処理方法および装置を提供することにある。
【課題を解決するための手段】
【００１４】
上記目的を達成するために本発明は、塩素、硫黄などの腐食性物質を含む砒素含有化学兵器を処理炉に順次供給して、加熱無害化処理する遺棄化学兵器の加熱無害化処理方法において、供給側に上記処理炉を構成する金属材料が腐食性ガス雰囲気下であっても腐食に耐え得る温度域で運転される腐食性物質除去チャンバーを、排出側に砒素除去に必要な高温度で運転される砒素除去チャンバーを形成すると共に、それらチャンバー間を中間エアロックチャンバーで連結して上記処理炉を形成し、上記砒素含有化学兵器を、上記腐食性物質除去チャンバーから上記砒素除去チャンバーに順次移送しつつ、上記腐食性物質除去チャンバーでは、上記腐食性物質が除去されるように、上記砒素含有化学兵器を所定温度で加熱し、かつ上記砒素除去チャンバーでは、上記腐食性物質が除去された砒素含有化学兵器に残留する砒素が除去されるように、上記砒素含有化学兵器を上記所定温度以上の処理温度で加熱し、かつ上記中間エアロックチャンバーでは、上記砒素除去チャンバー側を遮断すると共に上記腐食性物質除去チャンバーから上記砒素含有化学兵器を導入し、その後、導入時に内部に流入した腐食性ガスをエアパージするものである。
【００１５】
好ましくは、上記腐食性物質除去チャンバー内に、上記砒素含有化学兵器の移送経路に沿って、供給側から排出側に至るにつれ温度が高くなるように、複数の温度ゾーンが設定されるものである。
【００１６】
好ましくは、上記腐食性物質除去チャンバー内の複数の温度ゾーンは、導入された上記砒素含有化学兵器を予熱する予熱ゾーンと、その予熱ゾーンを通過した砒素含有化学兵器を加熱して上記腐食性物質を除去する蒸発・燃焼ゾーンと、その蒸発・燃焼ゾーンよりも高温に設定され、上記蒸発・燃焼ゾーン通過後の砒素含有化学兵器から腐食性物質の残留分を除去する燃焼完結ゾーンとからなるものである。
【００１７】
好ましくは、上記中間エアロックチャンバーは、上記腐食性物質除去チャンバーおよび上記砒素除去チャンバーよりも陽圧に設定されるものである。
【００１８】
上記目的を達成するために本発明は、塩素、硫黄などの腐食性物質を含む砒素含有化学兵器を処理炉に順次供給して、加熱無害化処理する遺棄化学兵器の加熱無害化処理装置において、上記処理炉を、供給側に配置され上記処理炉を構成する金属材料が腐食性ガス雰囲気下であっても腐食に耐え得る温度域で運転される腐食性物質除去チャンバーと、排出側に配置され砒素除去に必要な高温度で運転される砒素除去チャンバーと、それらチャンバー間を連結する中間エアロックチャンバーとで構成し、その処理炉に、上記砒素含有化学兵器を上記腐食性物質除去チャンバーから上記砒素除去チャンバーに順次移送する移送手段を設け、上記腐食性物質除去チャンバーに、上記砒素含有化学兵器を所定温度で加熱して上記腐食性物質を除去するための腐食性物質除去加熱手段を設け、上記砒素除去チャンバーに、上記腐食性物質が除去された砒素含有化学兵器を上記所定温度以上の処理温度で加熱して、上記砒素含有化学兵器に残留する砒素を除去するための砒素除去加熱手段を設け、上記中間エアロックチャンバーに、上記腐食性物質除去チャンバーとの間を遮断するための開閉自在な供給側ゲートと、上記砒素除去チャンバーとの間を遮断するための開閉自在な排出側ゲートと、内部をエアパージするためのエアパージ手段とを設けたものである。
【００１９】
好ましくは、砒素除去加熱手段は、上記砒素含有化学兵器を加熱するための電気抵抗ヒータを有するものである。
【発明の効果】
【００２０】
本発明によれば、塩素、硫黄などの腐食性物質を含む砒素含有化学兵器を加熱無害化処理するのに費やされるエネルギー消費量の低減と処理時間の短縮とを図ることができるという優れた効果を発揮するものである。
【発明を実施するための最良の形態】
【００２１】
以下、本発明の好適な一実施形態を添付図面に基づいて詳述する。
【００２２】
本実施形態の遺棄化学兵器の加熱無害化処理装置は、例えば、ジフェニルクロロアルシン、ジフェニルシアノアルシン、ルイサイトなどの砒素含有化学剤が充填された砲弾などの砒素含有化学兵器を、加熱して無害化処理するものである。
【００２３】
まず、図１および図２に基づき、その加熱無害化処理装置の概略構造を説明する。
【００２４】
図１に示すように、加熱無害化処理装置１は、塩素、硫黄などの腐食性物質を含む砒素含有化学兵器２を、処理炉３に順次供給して加熱無害化処理するものであり、砲弾などの金属類（例えば、鉄など）を無害化する処理炉３と、その処理炉３から排出される排ガスを無害化する二次燃焼炉４とを備える。
【００２５】
本実施形態の処理炉３は、供給側に配置され上記処理炉３を構成する金属材料が腐食性ガス雰囲気下であっても腐食に耐え得る温度域で運転される腐食性物質除去チャンバー３２と、排出側に配置され砒素除去に必要な高温度で運転される砒素除去チャンバー３４と、それらチャンバー３２、３４間を連結する中間エアロックチャンバー３３とから構成される。
【００２６】
より具体的には、図２に示すように、処理炉３は、供給側から順に、供給エアロックチャンバー３１、上記腐食性物質除去チャンバー３２、上記中間エアロックチャンバー３３、上記砒素除去チャンバー３４および排出エアロックチャンバー３５を、直列に接続して構成される。
【００２７】
その処理炉３には、処理炉３の各チャンバー３１〜３５に上記砒素含有化学兵器２を搬送するための移送手段が設けられる。本実施形態の移送手段は、処理炉３の長手方向（処理方向）全体に亘り設けられたローラコンベア５から構成される。そのローラコンベア５により、上記砒素含有化学兵器２は、上記腐食性物質除去チャンバー３２から上記砒素除去チャンバー３４に順次移送される。その移送時に、詳しくは後述するが、腐食性物質除去チャンバー３２では、砒素含有化学兵器２から腐食性物質が除去され、中間エアロックチャンバー３３では、腐食性物質から発生する腐食性ガスと、腐食性物質除去後の砒素含有化学兵器２とが分離され、砒素除去チャンバー３４では、腐食性物質除去後の砒素含有化学兵器２に残留する砒素（および砒素化合物）が除去される。
【００２８】
このように、本実施形態の処理炉３は、連続処理炉（より具体的には、ローラーハース炉）として形成されている。
【００２９】
次に処理炉３の各チャンバーについて説明する。
【００３０】
腐食性物質除去チャンバー３２には、砒素含有化学兵器２を所定温度で加熱して、上記腐食性物質を除去するための腐食性物質除去加熱手段が設けられる。その腐食性物質除去加熱手段は、燃料を燃焼して腐食性物質除去チャンバー３２内を加熱するバーナ３２１を有する（図２参照）。バーナ３２１は、上記砒素含有化学兵器２の移送経路（ローラコンベア５）に沿って複数配置される。各バーナ３２１には、ライン６１により燃焼用空気が供給され、ライン６２により燃料が各々供給される。
【００３１】
本実施形態では、砒素含有化学兵器２の移送方向の同じ位置に、バーナ３２１が二つずつ配置される。図３に示すように、それら二つのバーナ３２１は、ローラコンベア５上の砒素含有化学兵器２を、上下かつ左右から挟んで配置される。なお、バーナ３２１の数や配置などは、これに限定されず、様々なものが考えられる。
【００３２】
図１および図２に戻り、腐食性物質除去チャンバー３２の内面（炉壁）は、腐食性物質の蒸発・燃焼により発生する腐食性ガスに耐え得るように、耐腐食材（例えば、アルミナシリカ系耐火断熱材など）から形成される。また、腐食性物質除去チャンバー３２内に配置された後述する搬送ローラ５１はＨＴａｌｌｏｙ（ＳＣＨ１５相当）から形成される。腐食性物質除去チャンバー３２の上方には、腐食性ガスやバーナ３２１の排ガスなどを排出するための排出口３２２が形成され、その排出口３２２は、ライン６３およびライン６４を介して二次燃焼炉４に接続される。
【００３３】
また、腐食性物質除去チャンバー３２には、腐食性物質除去チャンバー３２内に空気を供給して酸素濃度を調整する酸素濃度調整手段（図示せず）と、腐食性物質除去チャンバー３２内の温度が砒素含有化学剤の急激な燃焼により上昇した場合に、それを低下させるべく噴霧水を供給する噴霧水供給手段（図示せず）とが各々設けられる。図１に示すように、酸素濃度調整手段には、ライン６５により空気（例えば、燃焼用空気）が供給され、噴霧水供給手段には、ライン６６により水が供給される。
【００３４】
以上のバーナ３２１と噴霧水供給手段とにより、腐食性物質除去チャンバー３２内の温度が調整される。本実施形態では、それらバーナ３２１と噴霧水供給手段とにより、腐食性物質除去チャンバー３２内に、上記砒素含有化学兵器２の移送経路に沿って供給側から排出側に至るにつれ温度が高くなるように、複数（図例では３つ）の温度ゾーン３２３〜３２５が設定される。より具体的には、腐食性物質除去チャンバー３２内の複数の温度ゾーン３２３〜３２５は、腐食性物質除去チャンバー３２内に導入された砒素含有化学兵器２を予熱する予熱ゾーン３２３と、その予熱ゾーン３２３を通過した砒素含有化学兵器２を加熱して上記腐食性物質を除去する蒸発・燃焼ゾーン３２４と、その蒸発・燃焼ゾーン３２４よりも高温に設定され、上記蒸発・燃焼ゾーン３２４通過後の砒素含有化学兵器２から腐食性物質の残留分を除去する燃焼完結ゾーン３２５とからなる。
【００３５】
予熱ゾーン３２３及び蒸発・燃焼ゾーン３２４の温度は、砒素含有化学兵器２中の化学剤の急激な蒸発・燃焼が起こらないように設定され、燃焼完結ゾーン３２５の温度は、化学剤残留物から腐食性ガスの発生原因となる塩素、硫黄などの腐食性物質が完全に除去されるように設定される。予熱ゾーン３２３は、１５０℃から２５０℃の間、より好ましくは２００℃程度に設定される。蒸発・燃焼ゾーン３２４は、予熱ゾーン３２３よりも高く、３５０℃から４５０℃の間、より好ましくは、４００℃程度に設定される。燃焼完結ゾーン３２５は、蒸発・燃焼ゾーン３２４よりも高く、７５０℃から８５０℃の間より好ましくは、８００℃程度に設定される。
【００３６】
中間エアロックチャンバー３３には、上記腐食性物質除去チャンバー３２との間を遮断するための開閉自在な供給側ゲート３３１と、上記砒素除去チャンバー３４との間を遮断するための開閉自在な排出側ゲート３３２と、中間エアロックチャンバー３３内のガスをエアパージするためのエアパージ手段とが設けられる。
【００３７】
中間エアロックチャンバー３３の内面（炉壁）は、腐食性物質除去チャンバー３２と同様に、例えばアルミナシリカ系耐火断熱材などの耐腐食材から形成される。また、中間エアロックチャンバー３３内に配置された後述する搬送ローラ５１はＨＴａｌｌｏｙ（ＳＣＨ１５相当）から形成される。中間エアロックチャンバー３３の下面には、パージ空気供給口３３３が形成され、そのパージ空気供給口３３３は、ライン６７を介してパージ空気供給源（図示せず）に接続される。中間エアロックチャンバー３３の上面には、パージ空気排気口３３４が形成され、そのパージ空気排気口３３４は、ライン６８およびライン６４を介して、二次燃焼炉４に接続される。これらパージ空気供給口３３３、パージ空気排気口３３４、およびパージ空気供給源によりエアパージ手段が構成される。
【００３８】
供給側ゲート３３１および排出側ゲート３３２は、基本的には、一方のゲートが開かれる場合には他方のゲートを閉じておくように、また中間エアロックチャンバー３３内に砒素含有化学兵器２がない場合には両ゲート３３１、３３２が閉じられるように、開閉制御される。さらに、本実施形態の中間エアロックチャンバー３３は、内部に砒素含有化学兵器２がない場合に、腐食性物質除去チャンバー３２および砒素除去チャンバー３４よりも陽圧（高い気圧）に設定される。
【００３９】
以上のように構成された中間エアロックチャンバー３３を、上記砒素含有化学兵器２が通過する場合、まず、予め排出側ゲート３３２を閉じておいて、砒素除去チャンバー３４側を遮断すると共に、供給側ゲート３３１を開いて砒素含有化学兵器２を導入する。次に、供給側ゲート３３１を閉じた後、エアパージ手段により、中間エアロックチャンバー３３内のガス（例えば、導入時に内部に流入した腐食性ガスなど）をパージ空気と置換して、エアパージする。次に、排出側ゲート３３２を開いて砒素含有化学兵器２を、砒素除去チャンバー３４に送り出す。
【００４０】
これにより、腐食性物質除去チャンバー３２で発生した腐食性ガスが流入することなく、砒素除去チャンバー３４に砒素含有化学兵器２が供給される。
【００４１】
砒素除去チャンバー３４には、腐食性物質が除去された砒素含有化学兵器２を、上記所定温度（腐食性物質除去チャンバー３２の燃焼完結ゾーン３２５の温度、図例では８００℃程度）以上の処理温度で加熱して、上記砒素含有化学兵器２に残留する砒素を除去するための砒素除去加熱手段が設けられる。その砒素除去加熱手段は、上記砒素含有化学兵器２を加熱するための電気抵抗ヒータ３４１を有する。電気抵抗ヒータ３４１は、砒素含有化学兵器２の移送経路（ローラコンベア５）に沿って複数配置される。
【００４２】
図４に示すように、各電気抵抗ヒータ３４１は、ローラコンベア５上の砒素含有化学兵器２の上方に配置される。なお、電気抵抗ヒータ３４１の数や配置などは、これに限定されず、様々なものが考えられる。
【００４３】
図１にもどり、以上の電気抵抗ヒータ３４１を調整して、砒素除去チャンバー３４内の処理温度が設定される。本実施形態では、砒素除去チャンバー３４内に、供給側から排出側に並べて複数（図例では４つ）の最終処理ゾーン３４６〜３４９が設定される。最も供給側（中間エアロックチャンバー３３側）の最終処理ゾーン３４６では、主に予熱を行い、他の最終処理ゾーン３４７〜３４９では、所定の処理温度で砒素の除去を行う。その処理温度は、９５０℃から１１００℃の間、より好ましくは１０００℃程度に設定される。
【００４４】
砒素除去チャンバー３４の内面（炉壁）は、上記処理温度に耐えうるように耐熱材（例えば、アルミナシリカ系耐火断熱材など）で形成される。また、砒素除去チャンバー３４内に配置された後述する搬送ローラ５１はＳｕｐｅｒ２２Ｈａｌｌｏｙから形成される。砒素除去チャンバー３４の上面には、パージ空気供給口３４３が形成され、そのパージ空気供給口３４３はライン６９を介して上記パージ空気供給源（図示せず）に接続される。砒素除去チャンバー３４の上面には、パージ空気排気口３４４が形成され、そのパージ空気排気口３４４は、ライン７０およびライン６４を介して、二次燃焼炉４に接続される。
【００４５】
移送手段をなすローラコンベア５は、上記砒素含有化学兵器２を搬送するための複数の搬送ローラ５１を有する。搬送ローラ５１は、各チャンバーごとに異なる材質で形成される。例えば、腐食性物質除去チャンバー３２および中間エアロックチャンバー３３内に配置される搬送ローラ５１は、ＨＴａｌｌｏｙ（ＳＣＨ１５相当）で形成され、砒素除去チャンバー３４内に配置される搬送ローラ５１は、Ｓｕｐｅｒ２２Ｈａｌｌｏｙで形成される。それら搬送ローラ５１は、複数のローラ群に分割され、各ローラ群ごとに各々独立して駆動制御される。例えば、各チャンバー３１〜３５ごと、腐食性物質除去チャンバー３２の各ゾーン３２３〜３２５ごと、砒素除去チャンバー３４の各最終処理ゾーン３４６〜３４９ごとに、搬送ローラ５１がローラ群に分割して制御される。
【００４６】
そのローラコンベア５上を、複数の砒素含有化学兵器２がまとめて搬送される。図５に示すように、加熱無害化処理される複数の砒素含有化学兵器２が、化学兵器処理用バケット８内に収容される。その化学兵器処理用バケット８は、図６に示すように、焼却用トレイ９に載せられ、その焼却用トレイ９がローラコンベア５上を搬送される。
【００４７】
図１に戻り、二次燃焼炉４は、各チャンバー３１〜３５からライン６４を介して流入する排ガスを加熱・燃焼処理するものであり、ライン７１から供給される燃料およびライン７２から供給される空気により排ガスを燃焼（酸化）する燃焼バーナ（図示せず）が設けられる。その燃焼バーナにより燃焼処理された排ガスは、ライン７３を通じて排ガス処理設備（図示せず）に排出される。また、二次燃焼炉４内の酸素濃度がライン７３から供給される空気により調整される。
【００４８】
図２に示すように、供給エアロックチャンバー３１と上記腐食性物質除去チャンバー３２との間には、開閉自在な供給エアロックゲート３１１が設けられる。上記砒素除去チャンバー３４と排出エアロックチャンバー３５との間には、開閉自在な排出エアロックゲート３５１が設けられる。
【００４９】
次に、本実施形態の加熱無害化処理装置１を用いた、砒素含有化学兵器２の加熱無害化処理方法を説明する。
【００５０】
本実施形態では、塩素、硫黄などの腐食性物質を含む砒素含有化学兵器２を処理炉３に順次供給して、加熱無害化処理する。
【００５１】
上述したように、供給側に上記処理炉３を構成する金属材料が腐食性ガス雰囲気下であっても腐食に耐え得る温度域で運転される腐食性物質除去チャンバー３２を、排出側に砒素除去に必要な高温度で運転される砒素除去チャンバー３４を形成すると共に、それらチャンバー３２、３４間を中間エアロックチャンバー３３で連結して上記処理炉３を形成する。
【００５２】
本実施形態では、その処理炉３に、上記砒素含有化学兵器２を、上記腐食性物質除去チャンバー３２から上記砒素除去チャンバー３４に順次移送しつつ、上記腐食性物質除去チャンバー３２では、上記腐食性物質が除去されるように、上記砒素含有化学兵器２を所定温度で加熱する。上記砒素除去チャンバー３４では、上記腐食性物質が除去された砒素含有化学兵器２に残留する砒素が除去されるように、上記砒素含有化学兵器２を上記所定温度以上の処理温度で加熱する。上記中間エアロックチャンバー３３では、上記砒素除去チャンバー３４側を遮断すると共に上記腐食性物質除去チャンバー３２から上記砒素含有化学兵器２を導入し、その後、導入時に内部に流入した腐食性ガスをエアパージする。
【００５３】
次に、図１に基づき、本実施形態の加熱無害化処理方法のプロセスフローを説明する。なお、図１では、ローラコンベア５を、腐食性物質除去チャンバー３２への供給ライン５２、腐食性物質除去チャンバー３２から砒素除去チャンバー３４への移送ライン５３、および砒素除去チャンバー３４からの排出ライン５４により模式的に示す。また、以下に説明する砒素含有化学兵器２の処理は、例えば、腐食性物質除去チャンバーの各ゾーン３２３〜３２５、中間エアロックチャンバー３３、および砒素除去チャンバー３４の各最終処理ゾーン３４６〜３４９で並行に行われる。
【００５４】
腐食性物質除去チャンバー３２には、供給ライン５２を通り、砒素含有化学兵器２が、一定間隔（１時間程度の間隔）で順次供給される。腐食性物質除去チャンバー３２に供給された砒素含有化学兵器２は、予熱ゾーン３２３、蒸発・燃焼ゾーン３２４、燃焼完結ゾーン３２５を通って中間エアロックチャンバー３３へ排出される。それら予熱ゾーン３２３、蒸発・燃焼ゾーン３２４および燃焼完結ゾーン３２５に設置されたバーナ３２１（ライン６１から燃焼用空気が供給され、ライン６２から燃料が供給される）および噴霧水供給手段（ライン６６から水が供給される）により、それぞれ各ゾーン３２３〜３２５の温度を調整する。上述したように、予熱ゾーン３２３の温度（約２００℃）及び蒸発・燃焼ゾーン３２４の温度（約４００℃）は、砒素含有化学兵器２中の化学剤の急激な蒸発・燃焼が起こらないように設定し、燃焼完結ゾーン３２５の温度（約８００℃）は、化学剤残留物から腐食性ガスの発生原因となる塩素、硫黄などの腐食性物質が完全に除去されるように設定する。また、腐食性物質除去チャンバー３２内は、ライン６５を通じて酸素濃度調整手段により空気を供給して、酸素濃度を調整する。
【００５５】
これにより、砒素含有化学兵器２の化学剤中の塩素、硫黄などの腐食性物質が蒸発・燃焼して除去される。それら腐食性物質は、塩化水素（ＨＣｌ）や硫黄酸化物（ＳＯｘ）などの腐食性ガスとなり、その腐食性ガスは、排出口３２２およびライン６３を通じて、二次燃焼炉４へ送られる。
【００５６】
一方、砒素含有化学兵器２には、砒素や、その砒素が金属（鉄など）と化合してできた砒素化合物（例えば、砒酸鉄など）が残留する。その砒素、砒素化合物などの残留物を含む砒素含有化学兵器２は、腐食性物質除去チャンバー３２から排出された後、移送ライン５３を通り、中間エアロックチャンバー３３に送られる。
【００５７】
中間エアロックチャンバー３３では、砒素含有化学兵器２と、腐食性ガスとを分離する。つまり、腐食性物質除去チャンバー３２の排出物（砒素含有化学兵器２）を、中間エアロックチャンバー３３内に一時貯留し、その中間エアロックチャンバー３３内に、ライン６７からパージ空気を供給して腐食性ガスをパージ空気に置換（エアパージ）した後、砒素含有化学兵器２を砒素除去チャンバー３４へ供給する。
【００５８】
中間エアロックチャンバー３３の排気は、パージ空気排気口３３４およびライン６８を通じて、二次燃焼炉４へ送られる。中間エアロックチャンバー３３は、貯留物がない間は、中間エアロックチャンバー３３内の圧力が腐食性物質除去チャンバー３２と砒素除去チャンバー３４よりも高くなるように調整し、二つのチャンバー３２、３４の雰囲気を分離する。その中間エアロックチャンバー３３内の圧力の調整は、例えば、パージ手段を制御して行う。
【００５９】
砒素除去チャンバー３４では、中間エアロックチャンバー３３から供給された砒素含有化学兵器２が、複数（図例では４つ）の最終処理ゾーン３４６〜３４９を通って、砒素が除去される。具体的には、砒素含有化学兵器２を各最終処理ゾーン３４６〜３４９ごとに、所定時間（例えば、１時間）ずつ保持して、砒素含有化学兵器２を加熱する。それら最終処理ゾーン３４６〜３４９の温度調整を、砒素除去チャンバー３４の電気抵抗ヒータ３４１により行う。最終処理ゾーン３４６〜３４９の温度は、腐食性物質除去チャンバー３２の温度（約８００℃）では除去できなかった化学剤残留物中の砒素が除去されるように設定する。
【００６０】
これにより、砒素含有化学兵器２は、砲弾などの金属類から砒素、砒素化合物が除去されて、無害化される。無害化された砒素含有化学兵器２は、排出ライン５４により処理炉３から排出される。このように、本実施形態では、上記無害化処理を、連続的な処理でありながら、腐食の原因となる塩素や硫黄が除去される温度域（腐食性物質除去チャンバー３２）と砒素化合物などの残留有害物質除去に必要なより高温の温度域（砒素除去チャンバー３４）とで、雰囲気を分けて実行する。また、雰囲気の分離のために、無害化処理を二つのチャンバー３２、３４で行い、それらチャンバー３２、３４の中間部に二つのチャンバー３２、３４よりも正圧に保った中間エアロックチャンバー３３を配置した。
【００６１】
本実施形態では、無害化された砒素含有化学兵器２を砒素除去チャンバー３４から排出する場合に、ライン６９により砒素除去チャンバー３４内にパージ空気を供給して、炉内（砒素除去チャンバー３４内）のガスをパージ空気に置換（エアパージ）する。その置換された排ガスは、パージ空気排気口３３４およびライン７０を通じて二次燃焼炉４へ送られる。
【００６２】
二次燃焼炉４には、ライン６４を通じて、腐食性物質除去チャンバー３２、中間エアロックチャンバー３３および砒素除去チャンバー３４からの排ガスが流入する。二次燃焼炉４では、その流入した排ガスを加熱して、排ガス中の未燃分を酸化する。二次燃焼炉４で処理された排ガスは、ライン７３を通じて、排ガス処理設備へ送られる。
【００６３】
二次燃焼炉４内の温度を、図示しない燃焼バーナ（ライン７２から燃焼用空気が供給され、ライン７１から燃料が供給される）により調整する。具体的には、二次燃焼炉４の温度を、排ガス中の砒素含有化学剤の分解率が環境基準を満たすように設定する。例えば、炉内温度を１２００℃に、排ガスの滞留時間を２秒に設定する。また、ライン７２により空気を供給して二次燃焼炉４内の酸素濃度を調整する。
【００６４】
以上により、各チャンバー３２〜３４で化学剤から除去された排ガスが無害化され、上述した砲弾など金属類の無害化とあわせて、砒素含有化学兵器２全体が無害化される。
【００６５】
このように、本実施形態では、腐食性物質除去チャンバー３２で砒素含有化学兵器２から腐食性物質を除去するので、高温処理が必要となる砒素除去チャンバー３４では腐食性ガスが発生しない。また、それら腐食性物質除去チャンバー３２と砒素除去チャンバー３４との間を中間エアロックチャンバー３３で連結したので、腐食性物質除去チャンバー３２の腐食性ガスが砒素除去チャンバー３４に流入することがない。以上により処理炉３全体で使用可能な材料の選択肢を広げることができる。
【００６６】
すなわち、腐食性物質を含む砒素含有化学兵器の処理には、砒素を除去する必要があるので１０００℃程度の高温が要求される。また、腐食性物質の加熱無害化処理により腐食性ガスが発生する。このことから、一般に、腐食性物質を含む砒素含有化学兵器の処理炉には、耐熱性および耐食性の両方が必要とされ、炉形式や使用材料が限られ、効率的な処理が難しかった。しかしながら、本実施形態では、腐食性ガスの発生を完了させる腐食性物質除去チャンバー３２（８００℃程度で処理を行う）と、残留有害物質（砒素と鉄の化合物など）を除去する砒素除去チャンバー３４（１０００℃程度で処理を行う）とを、中間エアロックチャンバー３３を介して分離するので、各チャンバーや各チャンバー内に配置される部材は、耐熱性および耐食性のいずれかを一方を有していればよいことになる。
【００６７】
その結果、処理炉３の移送手段としてローラコンベア５などを用いることが可能となり、処理炉３を連続処理炉として構成することができる。その連続処理の採用により加熱無害化処理の燃焼制御を容易にすることができ、処理時間を短縮することができる。
【００６８】
また、砒素含有化学兵器２の腐食性物質除去処理と砒素除去処理とを一台の処理炉３で連続的に行うことで、バッチ処理のように砒素含有化学兵器の搬入・搬出に伴い、炉を昇温・降温をさせる必要がなくなり、処理時間の短縮と、エネルギー消費量の低減とを図ることができる。
【００６９】
また、本実施形態では、加熱無害化処理の安全性を向上させることができる。つまり、数回に分けて砒素含有化学兵器２を処理炉３内に供給するので、少量の砒素含有化学剤を順次燃焼させることができ、処理炉３内に大量の化学剤が存在することがない。したがって、化学剤の燃焼制御が容易で多量の化学剤が急激に燃焼することがなく、かつバーナ失火、停電などのトラブル時に発生する未燃化学剤の量が少ない。その結果、砒素含有化学兵器２の加熱無害化プロセスの安全性が向上する。
【００７０】
また、腐食性物質除去チャンバー３２では、一度に供給される砒素含有化学兵器２を少量にし、それぞれ最適な温度に設定可能な複数のゾーン３２３〜３２５を通過させ、連続的に処理することで、急激な反応を防ぎながら化学剤の蒸発・燃焼を短時間で完了させることができる。これによっても、処理時間の短縮と、処理炉３の蓄熱損失の低減が可能となる。
【００７１】
また、上述したように、砒素除去チャンバー３４では、腐食性ガスが発生しないので使用可能な材料の選択肢が広がり、砒素除去加熱手段に電気抵抗ヒータ３４１を用いることができる。このように電気抵抗ヒータ３４１を用いることで、バーナを用いる場合よりも、砒素除去チャンバー３４から排出する排ガス量を低減することができる。
【００７２】
ところで、通常、各チャンバーからの排ガスは全て二次燃焼炉などで１２００℃まで加熱する必要がある。そのため、二次燃焼炉に流入する排ガス量が多いほど、二次燃焼炉での処理に費やされるエネルギー量が多くなる。本実施形態では、電気抵抗ヒータ３４１により砒素除去チャンバー３４の排ガス量を低減することができるので、二次燃焼炉４から排出される顕熱を低減でき、その結果、プロセス全体でのエネルギー消費量を低減することができる。つまり、電気抵抗ヒータ加熱方式を用いることで、プロセス全体の排ガス量を低減することができ、さらにはエネルギー消費量を削減することができる。
【００７３】
また、排ガス量を低減できるので、排ガス処理設備の小規模化を図ることができる。
【００７４】
なお、本発明は上述の実施形態に限定されず、様々な変形例や応用例が考えられるものである。
【００７５】
例えば、砒素除去加熱手段としては、電気抵抗ヒータを用いることが好ましいが、これに限定されず、例えば、バーナなどを用いることも考えられる。
【００７６】
また、中間エアロックチャンバーに、加熱されたパージ空気を供給するようにしてもよい。この場合、砒素含有化学兵器からパージ空気への放熱量を抑制することができる。
【図面の簡単な説明】
【００７７】
【図１】本発明に係る一実施形態による遺棄化学兵器の加熱無害化処理方法および装置を説明するためのプロセスフロー図である。
【図２】本実施形態の遺棄化学兵器の加熱無害化処理装置の概略側断面図である。
【図３】図２のＩＩＩ−ＩＩＩ断面図である。
【図４】図２のＩＶ−ＩＶ断面図である。
【図５】（ａ）は、本実施形態の化学兵器処理用バケットの平面図である。（ｂ）は、図５（ａ）の側面図である。
【図６】（ａ）は、本実施形態の焼却用トレイの平面図である。（ｂ）は、図６（ａ）の側面図である。
【図７】従来の砒素含有化学兵器の無害化処理装置を示す。
【符号の説明】
【００７８】
１  加熱無害化処理装置
２  砒素含有化学兵器
３  処理炉
５  移送手段
３２  腐食性物質除去チャンバー
３３  中間エアロックチャンバー
３４  砒素除去チャンバー
３２１  バーナ（腐食性物質除去加熱手段）
３３１  供給側ゲート
３３２  排出側ゲート
３４１  電気抵抗ヒータ（砒素除去加熱手段）
【図１】
2007215554.tif 000003
【図２】
2007215554.tif 000004
【図３】
2007215554.tif 000005
【図４】
2007215554.tif 000006
【図５】
2007215554.tif 000007
【図６】
2007215554.tif 000008
【図７】
2007215554.tif 000009